(57)【要約】【課題】  象牙椰子（タグア）の実の種で形成された印鑑本体に手に持ちやすいように摘み部を設けた印鑑とその印鑑を収納するための収納ケースを設けており、その印鑑収納ケースに安定支持板を設置し安定感を持たせ、加えて、印鑑の摘み部と印鑑収納ケースの外観に象牙椰子（タグア）の実の種をそのまま生かすことで、収納完成時の外観全体構成が、造形物として形成される印鑑収納ケース付き印鑑の提供を目的とする。【解決手段】  象牙椰子（タグア）の実の種で形成された印鑑本体１に手に持ちやすいように摘み部２を設けた印鑑３を起立状態で収納できるように印鑑収納ケース４を設け、該印鑑ケースの下端部に安定支持板５を設けて形成されている。加えて、該印鑑の摘み部２と該印鑑収納ケース４の外観に象牙椰子（タグア）の実の種をそのまま生かして形成する。【選択図】図３
0003113945.tif 000002
【実用新案登録請求の範囲】
【請求項１】
象牙椰子（タグア）の実の種で形成されている印鑑本体の捺印部逆手方向部に、手に覆いやすく持ちやすいように該印鑑の水平方向に直径の大きい該印鑑本体と一体となった摘み部を設けた印鑑と、該印鑑本体を収納することのできる印鑑収納ケースを設けたことを特徴とする収納ケース付き印鑑。
【請求項２】
前記印鑑は、象牙椰子（タグア）の実の種で形成されている請求項１記載の収納ケース付き印鑑。
【請求項３】
前記印鑑は、摘み部の下端部に嵌合凹部が設けられ、該嵌合凹部に印鑑本体を差し込み自在に設けられた請求項１又は２記載の収納ケース付き印鑑。
【請求項４】
前記印鑑は、該印鑑本体を起立状態に収納することのできる印鑑本体収納ケースが設けられていることを特徴とする請求項１乃至３いずれか記載の収納ケース付き印鑑。
【請求項５】
前記印鑑収納ケースは、印鑑収納ケースを安定させるために印鑑収納ケースの下端部に水平に広い安定支持板を設けたことを特徴とする請求項１乃至４いずれか記載の収納ケース付き印鑑。
【請求項６】
前記印鑑摘み部及び印鑑収納ケースは、摘み部及び印鑑本体収納部を象牙椰子（タグア）の実の種模様を外観に生かし、取り入れてあることを特徴とする請求項１乃至５いずれか記載の収納ケース付き印鑑。
【請求項７】
前記印鑑の摘み部及び印鑑収納ケースは、印鑑摘み部と印鑑本体収納部の外観には、象牙椰子（タグア）の実の種模様をそのまま取り入れ、その象牙椰子（タグア）の実の種模様を生かして、印鑑本体収納時に全体の外観構成が、造形物に形成された請求項１乃至５いずれか記載の収納ケース付き印鑑。
【考案の詳細な説明】
【技術分野】
【０００１】
本考案は、印鑑本体に捺印を押しやすいように手で覆う摘み部を設け、加えて印鑑本体を収納するための印鑑本体収納部を設けて収納を可能とするだけでなく、その外観を象牙椰子（タグア）の実の種模様をそのまま生かして形成された収納ケース付き印鑑に関する。
【背景技術】
【０００２】
従来の印鑑は、その印材を象牙としており、そして、該象牙は、古くより最高の美術工芸材として珍重され、印材の中でも他を圧倒する最高級品として採用されてきたが、昨今、ワシントン条約等の規制及び動物愛護の観点から、印材に象牙を使用することが困難となっていた。
【０００３】
そこで、現在、この象牙の代替品として、象牙椰子（タグア）の実の種が、注目されている。この象牙椰子（タグア）の実の種は、エクアドル北部及びコロンビア南部のみでしか採取することができないと言われ、大変希少である。また、該象牙椰子（タグア）は、油分を多く含有している。そのため印鑑に採用した場合、その印の出来栄えは、象牙で作成された印鑑の印影に遜色なく色彩、質感も美しく、印鑑自体が破損しにくいという特性をもつものである。
【０００４】
従来の印鑑は、先端部から末端部まで同長同大であって、例えば円柱や四角柱で作成されているのが常であり、その形状の特性上指の力のみで捺印をすることになるため、例えば重要な書類等に捺印する場合に捺印の失敗につながる虞があった。
【０００５】
加えて、従来の印鑑は、印鑑の収納容器と別になっており、コスト高となるという難点があった。
【０００６】
一方、特許文献１に記載の印鑑は、郵便ポストに模した印鑑ケースと朱肉ケース兼切手類ケースが一つの基台に結合されたものが考案されている。
【０００７】
また、特許文献２に記載の印鑑は、液浸透印、公用印判等の印判体を収容しているカバー胴体と前記印判体を覆うキャップ体とからなり、キャップ体の先端部に動物等のキャラクターを取り付けてあるものが考案されている。
【特許文献１】特開２０００−２８９３１４公報
【特許文献２】実開平６−４４７１２号公報
【考案の開示】
【考案が解決しようとする課題】
【０００８】
しかし、象牙椰子（タグア）の実の種は、全体的に小さいものであり、これまで例えばボタンにはその大きさの特性上、原料として採用することが可能であったが、印鑑として十分な長さを形成することができなかった。すなわち、印鑑に於いては、一般に捺印の押しやすいとされる最長４．５ｃｍから６ｃｍの長さの円柱や四角柱で作成されているのが常である。その形状の特性上、短い印鑑は使いにくいものとされ、この結果、印材として象牙椰子（タグア）の実を採用することができなかった。
【０００９】
一方、特許文献１においては、郵便ポストに模した印鑑ケースと朱肉ケース兼切手類ケースが一つの基台に結合されたものが考案されているが、印鑑の捺印部逆手方向には、なんら摘み部等を設けていない通常の印鑑であって捺印時に、指の力のみで捺印するため、例えば重要な書類等に捺印する場合に捺印の失敗につながる可能性がある。
【００１０】
また、外観上趣向を凝らすために郵便ポスト摸した印鑑ケースや朱肉ケース兼切手類ケース等を設けているためコスト高となる難点を生じる。
【００１１】
加えて、象牙以外の印鑑を使用する場合印鑑が破損しやすく、捺印が鮮明でないという難点を生じる可能性がある。
【００１２】
特許文献２においては、液浸透印、公用印判等の印判体を収容しているカバー胴体と前記印判体を覆うキャップ体とからなり、キャップ体の先端部に動物等のキャラクターを取り付けてあり、携帯用のものが考案されているが、印鑑部分は、手に収まるとはいえない大きさ及び厚さで構成されており、特許文献１同様に捺印をしにくく、失敗する虞も生じる。
【００１３】
また、液浸透印、公用印判等の印判体を収容しているカバー胴体である、印鑑部分が、下方向から該印判体を覆うキャップ体に備え付けられており、紛失の虞が生じる。
【００１４】
そこで、本考案は、上述の課題を解決すべく創出されたもので、従来の印材には見られない、象牙椰子（タグア）の実の種で形成されており、加えて、捺印を押しやすいように印鑑に摘み部を設け、かつ、該印鑑を収納する印鑑本体収納部を設けた収納ケース付き印鑑の提供を目的とするものである。
【課題を解決するための手段】
【００１５】
考案の第１の手段は、象牙椰子（タグア）の実の種で形成されている印鑑本体の捺印部逆手方向部に手に覆いやすく持ちやすいように該印鑑本体の水平方向に直径の大きい該印鑑本体と一体となった摘み部を設け、捺印を押しやすく形成したことにある。
【００１６】
考案の第２の手段は、該印鑑本体を象牙の材質と同等以上の印材である象牙椰子（タグア）の実の種で形成されていることにある。
【００１７】
考案の第３の手段は、摘み部の下端部に嵌合凹部が設けられ、該嵌合凹部に印鑑本体を差し込み自在に設けられたことにある。
【００１８】
考案の第４の手段は、該印鑑本体を安定した起立状態に収納することのできる印鑑本体収納部を設け、該印鑑と一体になるように形成したことにある。全体の外観には、象牙椰子（タグア）の実の種模様をそのまま取り入れ、その象牙椰子（タグア）の実の種模様を生かして、造形物に形成されていることにある。
【００１９】
考案の第５の手段は、該印鑑収納ケースは、印鑑収納ケースを安定させるために印鑑収納ケースの下端部に水平に広い安定支持板を設けたことにある。
【００２０】
考案の第６の手段は、印鑑摘み部及び印鑑収納ケースは、摘み部及び印鑑本体収納部を象牙椰子（タグア）の実の種模様を外観に生かし、取り入れてあることにある。
【００２１】
考案の第７の手段は、印鑑の摘み部及び印鑑収納ケースは、印鑑摘み部と印鑑本体収納部の外観には、象牙椰子（タグア）の実の種模様をそのまま取り入れ、その象牙椰子（タグア）の実の種模様を生かして、印鑑本体収納時に全体の外観構成が、造形物に形成されたことにある。
【考案の効果】
【００２２】
請求項１の構成により、印鑑が、油分を多く含有した象牙椰子（タグア）の実の種で形成されているため、印の出来栄えは、象牙を印材とした印鑑の印影に遜色なく色彩、質感も美しいものとなる。また、加えて、割れ欠けに強い印鑑を作成することができ、長く愛用できる印鑑を作成することを実現した。
【００２３】
加えて、印鑑の捺印部逆手方向部に手に覆いやすく持ちやすいように該印鑑の垂直方向に大きい該印鑑と一体となった摘み部を設けたことで、捺印が押しやすく、手に覆いやすく持ちやすくし、指だけの力ではなく手のひら全体の力で捺印を押すことができるようになるため捺印の失敗を生じる虞を解消することができる。
【００２４】
請求項２の構成により、前述のとおり象牙椰子（タグア）からは、捺印の押しやすいとされる最長４．５ｃｍから６ｃｍの長さを取ることができないためこれまで、印材としては採用を見送られていたが、印鑑の捺印部逆手方向部に印鑑摘み部を設けたことで、該長さを形成することに成功し、象牙以外の印材として象牙椰子（タグア）の使用を実現した。
【００２５】
請求項３の構成により、嵌合凹部に印鑑本体を差し込み自在に設けられたことで印影を彫る際に印鑑本体を取り外して彫ることを可能とし、印影を彫る際の便利性が追求されている。
【００２６】
また、上述のようなデザインであるため、今日、世界中で求められている環境にやさしいエコ商品としての機能を有しており、可能な限り自然のもののよさを生かす試みが実現されている。
【００２７】
請求項４の構成により、該印鑑を縦に収納することのできる印鑑本体収納部を設けたことで印鑑と一体となった構成となり、印鑑本体収納部は安定した起立状態に収納することのできるように構成されているため、取り出しを容易にすることに成功し、加えて、印鑑の紛失の虞を解消することに成功した。また、低コストの実現につながった。
【００２８】
請求項５の構成により、例えば家の家具の中や仕事の机の上等に安定性をもって置くことできる。
【００２９】
請求項６の構成により、印鑑としての機能だけでなく、オブジェとしての機能も実現した。
【００３０】
請求項７の構成により、印鑑と印鑑本体収納部を分離する際においても外観上趣向を凝らしたものとなり、象牙椰子（タグア）の実の種模様を外観に生かしていることも加わって、目に優しく、落ち着きあるデザインとなりストレス社会といわれる現代において癒しの効果をもたらすことを実現した。
【考案を実施するための最良の形態】
【００３１】
本考案である収納ケース付き印鑑は、印鑑本体１が、象牙椰子（タグア）の実の種で形成されており、印鑑本体１の捺印部逆手方向部に、手に覆いやすく持ちやすいように該印鑑の水平方向に直径の大きい該印鑑本体と一体となった摘み部２を設けた印鑑３と、該印鑑３を起立状態に収納することのできる印鑑収納ケースを４設け、該印鑑収納ケースの下端部に水平に広い安定支持板５を設けて、かつ該印鑑３が印鑑収納ケース４に収納完成時の全体の外観構成を象牙椰子（タグア）の実の種をそのまま生かして形成されることで、当初の目的を達成する。
【実施例】
【００３２】
次に、図面に基づいて本考案の実施例を詳細に説明する。本考案の収納ケース付き印鑑は、まず印鑑本体１の捺印部逆手方向部に、手に覆いやすく持ちやすいように該印鑑の水平方向に直径の大きい該印鑑本体１と一体となった摘み部２を設けた印鑑３が形成される。尚、この摘み部２の下端部には嵌合凹部２Ａが設けられ、差込が自由自在となっている。そのため印鑑を彫るときの便利である。また、該嵌合凹部２Ａと印鑑本体１接着剤等で接着することも可能とし、臨機応変に対応可能なように形成されている。加えて、該印鑑３を起立状態に収納することのできる印鑑収納ケース４を設けて、該印鑑を収納可能なように形成されている。
【００３３】
また、該摘み部２は、象牙椰子（タグア）の実の種およそ半分を使用し、外観上造形物の頭部に見えるように形成されており、該印鑑収納ケース４には、残った半分を使用し、外観上造形物の胴部に見えるように形成されており、よって、該印鑑３が該印鑑収納ケース４に収納完成時の全体の外観構成を象牙椰子（タグア）の実の種をそのまま生かした造形物として形成されている。（図１参照。）
【００３４】
尚、該収納ケース４のほぼ中心部に該印鑑３の内底筒部６が設けられている。その内底筒部６の長さは、該印鑑本体１の長さとほぼ同長で構成されている。また、該印鑑３が該印鑑収納ケース４に収納が完成される時には、摘み部２の下端部が、ちょうど収納ケースの上端とフィットするように形成されている。
【００３５】
該印鑑本体１は、収納ケース４に起立状態で無理なく収まるように形成されており、該印鑑本体１収納完成時には、印鑑摘み部２を有する印鑑３と収納ケース４とにより、全体の外観構成上一つの構成物のように形成される。（図５参照。）
【００３６】
収納ケース４に安定性を持たせるために印鑑収納ケース４の下端部に安定支持板５を設け、安定性を持たせている（図４参照）。
【図面の簡単な説明】
【００３７】
【図１】本考案収納ケース付き印鑑一実施例を示す正面図である。
【図２】本考案の印鑑摘み部の下端部を示す底面から見た分解斜視図である。
【図３】本考案の印鑑収納ケースを示す斜視図である。
【図４】本考案の収納ケース付き印鑑を示す正面図である。
【符号の説明】
【００３８】
１  印鑑本体
２  印鑑摘み部
２Ａ  嵌合凹部
３  印鑑
４  収納ケース
５  安定支持板
６  内底筒部
【図１】
0003113945.tif 000003
【図２】
0003113945.tif 000004
【図３】
0003113945.tif 000005
【図４】
0003113945.tif 000006